【手続補正書】
【提出日】平成21年11月30日(2009.11.30)
【手続補正１】
【補正対象書類名】特許請求の範囲
【補正対象項目名】全文
【補正方法】変更
【補正の内容】
【特許請求の範囲】
【請求項１】
軸芯体と、最表面を形成する樹脂層とを有する現像ローラであって、該樹脂層は、ウレタン樹脂を含み、かつ、表面に開口を有するくぼみ部を有し、
該くぼみ部の深さは０．１〜０．８μｍであり、
該くぼみ部はその内部にシリコーン成分を含有する材料を含み、かつ、底部にカーボンブラックを有していること特徴とする現像ローラ。
【請求項２】
前記樹脂層が下記成分（ａ）、（ｂ）、（ｃ）、（ｄ）及び（ｅ）から生成されたものである請求項１に記載の現像ローラ。
（ａ）ポリオールＡ
（ｂ）該ポリオールＡのＳＰ値との差が０．１以上１．０以下のＳＰ値を有するポリオールＢ
（ｃ）イソシアネート化合物
（ｄ）カーボンブラック
（ｅ）該ポリオールＡよりも該ポリオールＢのＳＰ値に近いＳＰ値を有する非反応型のポリオキシアルキレン変性のシリコーン化合物。
【請求項３】
前記成分（ｅ）が、ポリオキシエチレン変性シリコーン化合物を含む請求項２に記載の現像ローラ。
【請求項４】
前記ポリオキシエチレン変性シリコーン化合物のシリコーン部とポリオキシエチレン部の構成重量比（シリコーン部／ポリオキシエチレン部）が９５／５〜７０／３０の範囲にある請求項３に記載の現像ローラ。
【請求項５】
請求項１乃至４のいずれか１項に記載の現像ローラと現像装置とが一体となっていることを特徴とするプロセスカートリッジ。
【請求項６】
感光体及び該感光体と接触して配置されている現像ローラを有する電子写真方式の画像形成装置において、該現像ローラが、請求項１乃至４のいずれか１項に記載の現像ローラであることを特徴とする画像形成装置。
【手続補正２】
【補正対象書類名】明細書
【補正対象項目名】発明の名称
【補正方法】変更
【補正の内容】
【発明の名称】現像ローラ、プロセスカートリッジ及び画像形成装置
【手続補正３】
【補正対象書類名】明細書
【補正対象項目名】０００１
【補正方法】変更
【補正の内容】
【０００１】
本発明は複写機又はレーザープリンタの如き電子写真方式の画像形成装置に用いられる現像ローラ及び該現像ローラを使用しているプロセスカートリッジ及び画像形成装置に関するものである。
【手続補正４】
【補正対象書類名】明細書
【補正対象項目名】０００７
【補正方法】変更
【補正の内容】
【０００７】
したがって、本発明の目的は、電子写真方式の画像形成装置に使用される現像ローラにおいて、かぶりの発生やトナー固着をより良く抑制し、長期に亘り高品質な画像を得ることができる現像ローラ、プロセスカートリッジ及び画像形成装置を提供することにある。
【手続補正５】
【補正対象書類名】明細書
【補正対象項目名】０００８
【補正方法】変更
【補正の内容】
【０００８】
本発明に係る現像ローラは、軸芯体と、最表面を形成する樹脂層とを有する現像ローラであって、該樹脂層は、ウレタン樹脂を含み、かつ、表面に開口を有するくぼみ部を有し、
該くぼみ部の深さは０．１〜０．８μｍであり、
該くぼみ部はその内部にシリコーン成分を含有する材料を含み、かつ、底部にカーボンブラックを有していること特徴とする。
【手続補正６】
【補正対象書類名】明細書
【補正対象項目名】００１０
【補正方法】変更
【補正の内容】
【００１０】
さらに、本発明は、感光体及び該感光体と接触して配置されている現像ローラを有する電子写真方式の画像形成装置において、該現像ローラが、上記現像ローラであることを特徴とするものである。
【手続補正７】
【補正対象書類名】明細書
【補正対象項目名】００２５
【補正方法】変更
【補正の内容】
【００２５】
ここで、樹脂層３は、図５に示したように、その表面に開口を有する、深さ０．１〜０．８μｍのくぼみ部（５０１）を有している。前記くぼみ部は、その内部にシリコーン成分を含有する材料（５０３）を含んでいる。また、前記現像ローラ表面の非接触表面粗さＲａは０．０２〜０.２０μｍであることが好ましい。このような樹脂層３とするためには、樹脂層３の基材となる前記ウレタン樹脂は、２種類のポリオール（ポリオールＡ及びポリオールＢ）から構成される。ポリオールＡとポリオールＢのＳＰ値が異なることにより、ポリオールＡとポリオールＢとがミクロ相分離を起こす。図５において、樹脂層３中において、ポリオールＡ（５０７）とポリオールＢ（５０５）とが相分離している構成を模式的に示した。そして、ポリオールＡとポリオールＢとが相分離した結果、樹脂層３は、その表面に開口を有するくぼみ部（５０１）を生じる。ポリオールＡとポリオールＢのＳＰ値の差は、０．１以上１．０以下が好ましい。ＳＰ値の差が０．１未満であると、ポリオールＡとポリオールＢが相溶し、くぼみ部が形成されにくく、ＳＰ値の差が１．０を超えると、ポリオールＡとポリオールＢが不相溶となりやすく、表面性の確保が困難となる。したがって、前記くぼみ部の深さについては、ポリオールＡとポリオールＢのＳＰ値の差により制御可能である。また、添加するシリコーン成分のＳＰ値を、くぼみ部側のポリオール（ポリオールＢ）のＳＰ値と近い値とすることにより、ポリオールＢ（５０５）側に選択的にシリコーン成分を含有する材料（５０３）が偏在し、かつ表面に析出する（図５の矢印Ａ）ことにより、くぼみ部がその内部にシリコーン成分を含有する材料を含むこととなる。また、ポリオールＡとポリオールＢにおけるＴｇが低いポリオールＢ（５０５）側に導電剤が存在（偏在）することとなる。そのためにくぼみ部（くぼみ部の底部）に導電剤が選択的に存在することになり、結果的にシリコーン成分の下層に導電剤層を有する構成となる。ここでポリオールＡ、ポリオールＢのＴｇをそれぞれＴｇ（ａ）、Ｔｇ（ｂ）とした場合に以下の式を満足することが好ましい。
Ｔｇ（ｂ）≦Ｔｇ（ａ）・・・式（１） −５０≦Ｔｇ（ｂ）≦０・・・式（２）
−２０≦Ｔｇ（ａ）≦５０・・・式（３）
上記範囲とすることで、樹脂層として柔軟性のあるウレタン樹脂物性を得ることができ、かつポリオールＢに導電剤を選択的に存在させることが可能となる。
【手続補正８】
【補正対象書類名】明細書
【補正対象項目名】００３７
【補正方法】変更
【補正の内容】
【００３７】
良溶媒としてはアセトン、１，４−ジオキサンを、貧溶媒としてはｎ−ヘキサン、イオン交換水を用いた。ＳＰ値δは次式のように計算した。
δ＝（Ｖｍｌ１／２ δｍl＋Ｖｍｈ１／２・δｍｈ）／（Ｖｍｌ１／２＋Ｖｍｈ１/2 ）
Ｖｍ ＝Ｖ１ Ｖ２ ／（φ１ Ｖ２ ＋φ２ Ｖ１ ）
δｍ ＝φ１ δ１ ＋φ２ δ２
Ｖｉ ：溶媒のモル体積（ｍｌ／ｍｏｌ）
φｉ ：濁点における各溶媒の体積分率
δｉ ：各溶媒のＳＰ値
ｍｌ：低ＳＰ貧溶媒混合系
ｍｈ：高ＳＰ貧溶媒混合系
参考文献１：「J.P.S.A-1,5,1671-1681(1967)，SUH CLARKE」
上記ポリオールと、シリコーン化合物とをメチルエチルケトン、トルエン、酢酸エチルの如き溶媒で希釈し、公知のイソシアネート化合物を添加した後、導電剤を公知の分散手段で分散することにより樹脂層を形成する樹脂塗料を得る。
【手続補正９】
【補正対象書類名】明細書
【補正対象項目名】００３９
【補正方法】変更
【補正の内容】
【００３９】
イソシアネート化合物は、通常、ポリオールに対して、イソシアネートインデックスが０．９から１．５の範囲となるように使用される。イソシアネートインデックスとは、イソシアネート化合物中のイソシアネート基のモル数とポリオール成分中の水酸基のモル数との比（[ＮＣＯ]／[ＯＨ]）を示すものである。